(57)【要約】【目的】  効果的に脳機能の回復を図ることができる旅行プランを提案する。【解決手段】  人間の知的状態を測定するための知的状態測定テストを記憶する知的状態測定テスト記憶手段、人間の知的状態を判定するための知的状態判定データを記憶する知的状態判定データ記憶手段、前記知的状態測定テストを出題しそれに対する第１回答を受け付ける第１回答受付手段、前記第１回答と前記知的状態判定データに基づいて人間の知的状態測定する知的状態測定手段、人間の知的状態とそれに適合する旅行計画を関連づけた旅行計画ファイルを記憶する旅行計画ファイル記憶手段、前記知的状態測定手段において測定された知的状態に適合した旅行計画を前記旅行計画ファイルから検索する旅行計画検索手段、検索された前記旅行計画を提案する旅行計画提案手段を備えるシステムである。【選択図】  図１３
2007286933.tif 000002
【特許請求の範囲】
【請求項１】
コンピュータを、
人間の知的状態を測定するための知的状態測定テストを記憶する知的状態測定テスト記憶手段、人間の知的状態を判定するための知的状態判定データを記憶する知的状態判定データ記憶手段、前記知的状態測定テストを出題しそれに対する第１回答を受け付ける第１回答受付手段、前記第１回答と前記知的状態判定データに基づいて人間の知的状態を測定する知的状態測定手段、人間の知的状態とそれに適合する旅行計画を関連づけた旅行計画ファイルを記憶する旅行計画ファイル記憶手段、前記知的状態測定手段において測定された知的状態に適合した旅行計画を前記旅行計画ファイルから検索する旅行計画検索手段、検索された前記旅行計画を提案する旅行計画提案手段として機能させることを特徴とする旅行計画提案のためのコンピュータプログラム。
【請求項２】
コンピュータを、
人間の情動を測定するための情動測定テストを記憶する情動測定テスト記憶手段、人間の情動を判定するための情動判定データを記憶する情動判定データ記憶手段、前記情動測定テストを出題しそれに対する第２回答を受け付ける第２回答受付手段、前記第２回答と前記情動判定データに基づいて人間の情動を測定する情動測定手段、人間の情動とその情動に合わせて旅行計画を修正するための修正情報とを関連づけた計画修正ファイルを記憶する計画修正ファイル記憶手段、前記情動測定手段において測定された情動に適合した修正情報を前記計画修正ファイルから検索する修正情報検索手段、検索された前記修正情報に基づいて前記旅行計画を修正して提案する修正提案手段として機能させることを特徴とする請求項１記載の旅行計画提案のためのコンピュータプログラム。
【請求項３】
前記第２回答は顧客が旅先で入力した回答であることを特徴とする請求項１乃至２記載の旅行計画提案のためのコンピュータプログラム。
【請求項４】
コンピュータを、
顧客が希望する観光地を受付け記憶する希望観光地記憶手段、前記知的状態測定テストの内容を前記希望観光地にちなんだテストにする知的状態測定テスト調整手段として機能させることを特徴とする請求項１乃至３記載の旅行計画提案のためのコンピュータプログラム。
【請求項５】
前記旅行計画には観光地とオプショナルツアーとが含まれ、
コンピュータを、前記観光地に適合したオプショナルツアーを検索する第１オプショナルツアー検索手段として機能させることを特徴とする請求項１乃至４記載の旅行計画提案のためのコンピュータプログラム。
【請求項６】
前記旅行計画にはオプショナルツアーが含まれ、
コンピュータを、同行者の年齢を受付け記憶する年齢記憶手段、前記年齢に適合したオプショナルツアーを検索する第２オプショナルツアー検索手段として機能させることを特徴とする請求項１乃至５記載の旅行計画提案のためのコンピュータプログラム。
【請求項７】
コンピュータが、
人間の知的状態を測定するための知的状態測定テストを記憶する知的状態測定テスト記憶ステップ、人間の知的状態を判定するための知的状態判定データを記憶する知的状態判定データ記憶ステップ、前記知的状態測定テストを出題しそれに対する第１回答を受け付ける第１回答受付ステップ、前記第１回答と前記知的状態判定データに基づいて人間の知的状態を測定する知的状態測定ステップ、人間の知的状態とそれに適合する旅行計画を関連づけた旅行計画ファイルを記憶する旅行計画ファイル記憶ステップ、前記知的状態測定手段において測定された知的状態に適合した旅行計画を前記旅行計画ファイルから検索する旅行計画検索ステップ、検索された前記旅行計画を提案する旅行計画提案ステップを行うことを特徴とする旅行計画提案方法。
【請求項８】
コンピュータが、
人間の情動を測定するための情動測定テストを記憶する情動測定テスト記憶ステップ、人間の情動を判定するための情動判定データを記憶する情動判定データ記憶ステップ、前記情動測定テストを出題しそれに対する第２回答を受け付ける第２回答受付ステップ、前記第２回答と前記情動判定データに基づいて人間の情動を測定する情動測定ステップ、人間の情動とその情動に合わせて旅行計画を修正するための修正情報とを関連づけた計画修正ファイルを記憶する計画修正ファイル記憶ステップ、前記情動測定手段において測定された情動に適合した修正情報を前記計画修正ファイルから検索する修正情報検索ステップ、検索された前記修正情報に基づいて前記旅行計画を修正して提案する修正提案ステップを行うことを特徴とする請求項７記載の旅行計画提案方法。
【請求項９】
前記第２回答は顧客が旅先で入力した回答であることを特徴とする請求項７乃至８記載の旅行計画提案方法。
【請求項１０】
コンピュータが、
顧客が希望する観光地を受付け記憶する希望観光地記憶ステップ、前記知的状態測定テストの内容を前記希望観光地にちなんだテストにする知的状態測定テスト調整ステップを行うことを特徴とする請求項７乃至９記載の旅行計画提案方法。
【請求項１１】
前記旅行計画には観光地とオプショナルツアーとが含まれ、
コンピュータが、前記観光地に適合したオプショナルツアーを検索する第１オプショナルツアー検索ステップを行うことを特徴とする請求項７乃至１０記載の旅行計画提案方法。
【請求項１２】
前記旅行計画にはオプショナルツアーが含まれ、
コンピュータが、同行者の年齢を受付け記憶する年齢記憶ステップ、前記年齢に適合したオプショナルツアーを検索する第２オプショナルツアー検索ステップを行うことを特徴とする請求項７乃至１１記載の旅行計画提案方法。
【請求項１３】
人間の知的状態を測定するための知的状態測定テストを記憶する知的状態測定テスト記憶手段、人間の知的状態を判定するための知的状態判定データを記憶する知的状態判定データ記憶手段、前記知的状態測定テストを出題しそれに対する第１回答を受け付ける第１回答受付手段、前記第１回答と前記知的状態判定データに基づいて人間の知的状態を測定する知的状態測定手段、人間の知的状態とそれに適合する旅行計画を関連づけた旅行計画ファイルを記憶する旅行計画ファイル記憶手段、前記知的状態測定手段において測定された知的状態に適合した旅行計画を前記旅行計画ファイルから検索する旅行計画検索手段、検索された前記旅行計画を提案する旅行計画提案手段を備えることを特徴とする旅行計画提案システム。
【請求項１４】
人間の情動を測定するための情動測定テストを記憶する情動測定テスト記憶手段、人間の情動を判定するための情動判定データを記憶する情動判定データ記憶手段、前記情動測定テストを出題しそれに対する第２回答を受け付ける第２回答受付手段、前記第２回答と前記情動判定データに基づいて人間の情動を測定する情動測定手段、人間の情動とその情動に合わせて旅行計画を修正するための修正情報とを関連づけた計画修正ファイルを記憶する計画修正ファイル記憶手段、前記情動測定手段において測定された情動に適合した修正情報を前記計画修正ファイルから検索する修正情報検索手段、検索された前記修正情報に基づいて前記旅行計画を修正して提案する修正提案手段を備えることを特徴とする請求項１３記載の旅行計画提案システム。
【請求項１５】
前記第２回答は顧客が旅先で入力した回答であることを特徴とする請求項１３乃至１４記載の旅行計画提案システム。
【請求項１６】
顧客が希望する観光地を受付け記憶する希望観光地記憶手段、前記知的状態測定テストの内容を前記希望観光地にちなんだテストにする知的状態測定テスト調整手段を備えることを特徴とする請求項１３乃至１５記載の旅行計画提案システム。
【請求項１７】
前記旅行計画には観光地とオプショナルツアーとが含まれ、
前記観光地に適合したオプショナルツアーを検索する第１オプショナルツアー検索手段を備えることを特徴とする請求項１３乃至１６記載の旅行計画提案システム。
【請求項１８】
前記旅行計画にはオプショナルツアーが含まれ、
同行者の年齢を受付け記憶する年齢記憶手段、前記年齢に適合したオプショナルツアーを検索する第２オプショナルツアー検索手段を備えることを特徴とする請求項１３乃至１７記載の旅行計画提案システム。
【発明の詳細な説明】
【技術分野】
【０００１】
本発明は、顧客の知的状態（脳の状態）や顧客の情動を測定し、測定された顧客の知的状態や情動に合った旅行計画（ツアー）を提案するシステム等に関するものである。
【背景技術】
【０００２】
社会の複雑化に伴い、人々は多くのストレスを感じながら生活している。このストレスの蓄積は脳の機能を低下させる原因（判断力や記憶力等を衰えさせる原因）となっている。
また、近年社会問題化しているキレる若者（通常、我慢すべき事柄に対しても我慢ができずすぐに他人と争ってしまう若者）や引き籠もりなどは脳（特に、前頭葉）の機能低下が原因と考えられている。
このような脳の機能低下に対する対処法・解決法には様々な方法が提案されているが、その１つとして旅行を楽しむことが提案されている。即ち、海や山、或いは海外などを訪れて非日常的な新鮮な体験をすることにより、蓄積したストレスが解消でき、脳の機能の回復が図れるのである。
【０００３】
【非特許文献１】脳年齢をはかっちゃおうか！［ｏｎｌｉｎｅ］２００６年２月６日更新  インターネット＜ＵＲＬ：ｈｔｔｐ：／／ｗｗｗ．ｇｏｇｏｂｒａｉｎ．ｎｅｔ／ｗｅｂｍａｇｉｃ／ｔｅｓｔ．ｈｔｍ＞
【発明の開示】
【発明が解決しようとする課題】
【０００４】
しかし、適切に脳の機能回復を図るには、ただ単に旅行をすれば良いというものではない。即ち、脳の機能のうち判断力が低下した場合はハイキングなどが効果的であり、記憶力が低下した場合は乗馬体験などが効果的であるが、顧客は何をすれば効果的に脳の機能回復を図れるか全く分からないまま旅行を計画しているのが現状である。よって、旅行をしても適切に脳の機能回復が図れない場合がある。
そこで、低下した脳の機能に合わせた適切なツアーを提案するシステム等が求められるところである。
【課題を解決するための手段】
【０００５】
本発明は、例えば、次のような手段を備えるシステム（装置）、コンピュータが次の処理（ステップ）を行う方法、コンピュータを次のように機能させるコンピュータプログラムである。
（１）  人間の知的状態を測定するための知的状態測定テストを記憶する知的状態測定テスト記憶手段、人間の知的状態を判定するための知的状態判定データを記憶する知的状態判定データ記憶手段、前記知的状態測定テストを出題しそれに対する第１回答を受け付ける第１回答受付手段、前記第１回答と前記知的状態判定データに基づいて人間の知的状態を測定する知的状態測定手段、人間の知的状態とそれに適合する旅行計画を関連づけた旅行計画ファイルを記憶する旅行計画ファイル記憶手段、前記知的状態測定手段において測定された知的状態に適合した旅行計画を前記旅行計画ファイルから検索する旅行計画検索手段、検索された前記旅行計画を提案する旅行計画提案手段を備える。
（２）  人間の情動を測定するための情動測定テストを記憶する情動測定テスト記憶手段、人間の情動を判定するための情動判定データを記憶する情動判定データ記憶手段、前記情動測定テストを出題しそれに対する第２回答を受け付ける第２回答受付手段、前記第２回答と前記情動判定データに基づいて人間の情動を測定する情動測定手段、人間の情動とその情動に合わせて旅行計画を修正するための修正情報とを関連づけた計画修正ファイルを記憶する計画修正ファイル記憶手段、前記情動測定手段において測定された情動に適合した修正情報を前記計画修正ファイルから検索する修正情報検索手段、検索された前記修正情報に基づいて前記旅行計画を修正して提案する修正提案手段を備える。
（３）  前記第２回答は顧客が旅先で入力した回答である。
（４）  顧客が希望する観光地を受付け記憶する希望観光地記憶手段、前記知的状態測定テストの内容を前記希望観光地にちなんだテストにする知的状態測定テスト調整手段を備える。
（５）  前記旅行計画には観光地とオプショナルツアーとが含まれ、
前記観光地に適合したオプショナルツアーを検索する第１オプショナルツアー検索手段を備える。
（６）  前記旅行計画にはオプショナルツアーが含まれ、
同行者の年齢を受付け記憶する年齢記憶手段、前記年齢に適合したオプショナルツアーを検索する第２オプショナルツアー検索手段を備える。
【発明の効果】
【０００６】
本発明には次のような効果がある。
（１）本発明を利用すれば、顧客の脳の状態（その人の認知度や情動）に適合した旅行プランを提案できる。よって、顧客は効果的に脳の機能回復やストレスの解消を図ることができるのである。
（２）認知テストや情動テストに観光地の特産品や娯楽情報等を使えば、観光地の宣伝を効果的に行うことができる。また、顧客にとっても目的地の情報を得ることができ、有用なものとなる。
（３）人の情動は日々変化するものであるため、情動テストを旅行先で行えば、より効果的なプラン（修正プラン）を提案できる。
（４）本発明では、プランを提案する際に目的地を考慮に入れているので、より適切なプランを提案できる。即ち、山に旅行する人に対し、マリンスポーツを提案するという不都合を回避できるのである。
（５）本発明は、旅行に同行する人の年齢を考慮してプランを作成しているので、年齢に応じたプランを提案できる。例えば、足腰の弱った高齢者に「ハイキング１２０分」などの過酷なプランを提案するといった不都合を回避できるのである。
【発明を実施するための最良の形態】
【０００７】
本発明は、顧客の知的状態（脳の状態）や顧客の情動（恐怖・驚き・怒り・悲しみ・喜びなどの感情で、急激で一時的なものを言う）を測定し、測定された顧客の知的状態や情動に合った旅行計画（ツアー）を提案するシステム等に関するものである。以下、図面に基づいて説明する。
【実施例１】
【０００８】
本発明の第一実施例を図に基づいて説明する。図１は本発明の実施に必要なハードウェアとそのハードウェアの結びつきを表した概略図である。
これらハードウェアは、認知度判定及び情動判定を行うサーバー１、認知度判定に利用されるコンピュータ（ＰＣ２）、情動判定に利用されるコンピュータ（ＰＣ３）とからなる。
サーバー１、ＰＣ２、ＰＣ３にはデータの送受信を可能にするためのデータ送信部および受信部が備えられており、これによりサーバー１、ＰＣ２、ＰＣ３とはインターネット（或いは、その他の通信手段）を介してデータの送受信が可能になっている。
【０００９】
サーバー１、ＰＣ２、ＰＣ３には情報を処理する処理装置、情報を記憶する記憶装置が備えられている。
サーバー１、ＰＣ２、ＰＣ３の記憶装置には本発明を実現するためのコンピュータプログラムや所定のデータが記憶されており、サーバー１、ＰＣ２、ＰＣ３はこのコンピュータプログラムの処理命令に従って所定の処理を行う。
【００１０】
次に、本発明を実現するための処理手順について説明する。本発明の処理は＜顧客データ作成処理（ＳＴＥＰ１）＞→＜認知判定処理（ＳＴＥＰ２）＞→＜ツアー提案処理（ＳＴＥＰ３）＞→＜情動判定処理（ＳＴＥＰ４）＞→＜ツアー修正処理（ＳＴＥＰ５）＞の手順で行われる。以下、これら処理について説明する。
【００１１】
＜顧客データ作成処理（ＳＴＥＰ１）＞
山田太郎さんは最近ストレスや疲労感を感じており、近く休暇をとって旅行に行こうと計画している。山田さんはある旅行会社がストレスを効果的に解消できるツアーを提案してくれるウェブサイトを開設していることを知り、自宅のＰＣ２を利用してそのサイトにアクセスした。これにより図２のような内容がＰＣ１の表示モニタに表示される。
山田さんは自分の氏名や年齢、メールアドレス等を入力し、画面右下の「送信」をクリックした。これにより、ＰＣ２は図３のような登録データを作成し、これをサーバー１に送信する。登録データを受信したサーバー１はこれを図４のように顧客データａとして記憶する。なお、この顧客データａは顧客データｂ、顧客データｃのように更新されてゆくものであるが、その更新内容については後述する。
【００１２】
＜認知判定処理（ＳＴＥＰ２）＞
次に、サーバー１は山田さんの認知判定を行う。
サーバー１の記憶装置には認知テスト（人間の知的状態を測定するためのテスト）を行うため認知テストデータとして図５のような認知テストファイルと画像ファイルとが関連づけられて記憶されている（なお、本実施例ではこのサーバー１の記憶装置が知的状態測定テスト記憶手段としての役割を果たす）。サーバー１はこれら認知テストデータを山田さんに対し（ＰＣ２に対し）出題する。即ち、サーバー１は認知テストデータをＰＣ２に送信し、それを受信したＰＣ２は図６のように表示モニタに表示する。山田さんはこの認知テストに対し順次回答してゆき、ＰＣ２はその回答に基づいて認知テスト回答データ（第１回答）を図７のように作成し、これをサーバー１に送信する。
認知テスト回答データを受信したサーバー１はこれに基づいて山田さんの脳年齢、判断力、記憶力を分析する（なお、本実施例では認知テスト回答データを受信するサーバー１が第１回答受付手段としての役割を果たす）。
例えば、サーバー１の記憶装置には図８のような回答分析データと脳年齢判定データが記憶されており、サーバー１は山田さんの回答の正誤を回答分析データで分析し、判断力と記憶力のポイントを集計してゆく。即ち、認知テスト回答データと回答分析データに基づいて山田さんの知的状態を測定する。これにより山田さんの判断力ポイントは「＋１４」、記憶力ポイントは「＋７」、総合点（判断力ポイント＋記憶力ポイント）は「＋２１」だったとする。
【００１３】
次に、サーバー１は脳年齢判定データ（図８）に基づいて山田さんの脳年齢を判断する。山田さんの総合点は「＋２１」なので脳年齢は「４５歳」と判定される。
次に、サーバー１は山田さんの判断力を分析する。
サーバー１の記憶装置には図９のような判断力分析データが記憶されている。山田さんの判断力点は「＋１４」なので判断力は「やや低下」と判定される。
次に、サーバー１は山田さんの記憶力を分析する。
サーバー１の記憶装置には図９のような記憶力分析データが記憶されている。山田さんの記憶力点は「＋７」なので記憶力は「普通」と判定される。
なお、本実施例では回答分析データ・判断力分析データ・記憶力分析データが知的状態判定データとしての役割を果たし、これらを記憶するサーバー１の記憶装置が知的状態判定データ記憶手段としての役割を果たし、山田さんの知的状態を測定するサーバー１が知的状態測定手段としての役割を果たす。
【００１４】
＜ツアー提案処理（ＳＴＥＰ３）＞
次に、サーバー１は山田さんに推奨すべきプランを分析する。
サーバー１の記憶装置には図１０のような推奨プランデータが記憶されている。山田さんは判断力が「やや低下」と分析され、また山田さんの目的地種別は「山」（図４、顧客データａ）なので、サーバー１は「ハイキング」を推奨プランとして検索する。
以上のように、山田さんの脳年齢、判断力、記憶力、推奨プランの分析が行われた後、サーバー１は図４の顧客データａを顧客データｂのように更新する。即ち、脳年齢「４５歳」、判断力「やや低下」、記憶力「普通」、推奨プラン「ハイキング」と更新される。
次に、サーバー１は山田さんに合った目的地を検索する。
サーバー１の記憶装置には、図１１のような目的地ファイルが記憶されている。この目的地ファイルは観光地、各主要都市を出発地とした場合の適正な宿泊日数、その観光地で実施可能なプランとが関連づけられたデータレコードが複数集められたものである。サーバー１は図４顧客データｂの「出発地：東京、予定日数：３、目的地種別：山、推奨プラン１：ハイキング」に基づいて目的地ファイルを検索する。これによりサーバー１は推奨する目的地として「八ヶ岳」を検索する。
【００１５】
なお、本実施例では、目的地ファイル・推奨プランデータが旅行計画ファイルとしての役割を果たし、その旅行計画ファイルを記憶するサーバー１の記憶装置が旅行計画ファイル記憶手段としての役割を果たし、観光地（八ヶ岳）・推奨プラン（ハイキング）という旅行計画を検索するサーバー１が旅行計画検索手段としての役割を果たす。
また、目的地ファイルは観光地とその観光地で体験可能なプラン（オプショナルツアー）とが関連づけられているので、オプショナルツアーは観光地に適合したものとなる。本実施例では、このように観光地に適合したオプショナルツアーを検索するサーバー１が第１オプショナルツアー検索手段としての役割を果たす。
【００１６】
次に、サーバー１は同行者の年齢を考慮に入れたプランを作成する。
サーバー１の記憶装置には図１２のような年齢別プランデータが記憶されている。
サーバー１は図４顧客データｂの同行者年齢層「６０歳以上」、推奨プラン１「ハイキング」に基づいて年齢別プランデータを検索する。これによりハイキングを行うべき時間は「６０分」と分析される。このように同行者の年齢によりハイキング時間を調整するので（年齢に適合したものとするので）同行者にとっても無理のないプラン（オプショナルツアー）を提案できる。なお、この時点でサーバー１は山田さんの顧客データを図４の顧客データＣのように更新する。また、本実施例では、このような年齢に適合したプランを検索するサーバー１が第オプショナルツアー検索手段としての役割を果たす。
以上のように、山田さんに推奨される旅行は「八ヶ岳にてハイキング６０分」となる。サーバー１は山田さんにこの旅行計画を提案する。即ち、サーバー１は図１３のような結果データを作成し、これをＰＣ１に送信する。そして、これを受信したＰＣ１は図１３のような内容をＰＣ１の表示モニタに表示する。このようにすることにより、顧客（山田さん）の脳の状態に適合した旅行プランを提案できるのである。なお、本実施例では、このような旅行計画を提案するサーバー１が旅行計画提案手段としての役割を果たす。
【００１７】
＜情動判定処理（ＳＴＥＰ４）＞
次に、サーバー１は山田さんの情動に合わせたプランを推奨するための処理を行う。なお、この処理は山田さんの旅行中に行うものとする。人の情動は日々変化するものであるため、情動テストは旅行前に行うよりも、旅行中に行った方がより正確にその人の情動を判断することができ、推奨プランもより適切なものとなるからである。
【００１８】
山田さんは、コンピュータに推奨されたプラン（八ヶ岳でのハイキングプラン）が気に入ったので、休暇を利用して八ヶ岳を訪れた。山田さんは旅行二日目にハイキングをする予定である。なお、八ヶ岳には森林を歩くコースと、名所旧跡を歩いて訪ねるコースがあり、山田さんはどちらのコースを選ぼうか迷っているものとする。
【００１９】
山田さんは、旅先の宿のコンピュータ（ＰＣ２）を利用して、情動テストを行う。なお、情動テストの処理は原則として認知テストの場合と同様である（質問内容や分析対象が異なるだけである）のでここでは簡単に説明する。
山田さんはＰＣ２から情動テストを行うサイトにアクセスし、これによりＰＣ２の表示モニタには図１４のような内容が表示される。
山田さんは、情動測定テストの質問に回答してゆき（回答を入力し）、サーバー１はその回答（第２回答）と図１５の情動テストファイルに基づいて「イライラポイント」や「落ち込みポイント」を集計し、図１６のようなイライラ度分析データや落ち込み度分析データに基づいて山田さんのイライラ度や落ち込み度を分析する。即ち、山田さんのイライラ度のポイント、落ち込み度のポイントを集計する。これにより山田さんの情動はイライラ度「ややイライラしている」、落ち込み度「普通」と分析（測定）されたものとする。
【００２０】
＜ツアー修正処理（ＳＴＥＰ５）＞
次に、サーバー１は図１７の情動測定テストによる推奨プランデータに基づいてイライラしている人に合ったプランを検索する。これにより、推奨プランは「森林浴」（修正情報）と分析された。
よって、サーバー１は図１８のような情動テスト結果データを作成し、これをＰＣ２に送信し、ＰＣ２はこれを表示モニタに表示する。なお、この時点で山田さんの顧客データは図１９の顧客データＤのように更新されているものとする。
これにより、山田さんは今自分が少しイライラしていることに気づき、ハイキングはコンピュータに推奨された通り、森林を歩くコースに決めた。
このようにすることにより、顧客（山田さん）はその日の情動にあったハイキングをすることができ、より効果的に脳機能の回復やストレスの解消を図ることができるのである。なお、旅行計画の修正とは、当初「八ヶ岳でハイキング６０分」だけであったものに「森林浴」という要素を加えることや、「自然食を食べる」という行動を加えること等を言う。
【００２１】
なお、本実施例では、情動テストを記憶するサーバー１の記憶装置が情動テスト記憶手段としての役割を果たし、イライラ度分析データ・落ち込み度分析データが情動判定データとしての役割を果たし、情動判定データを記憶するサーバー１の記憶装置が情動判定データ記憶手段としての役割を果たし、第２回答を受け付けるサーバー１が第２回答受付手段としての役割を果たし、イライラ度や落ち込み度を集計するサーバー１が情動測定手段としての役割を果たし、情動測定テストによる推奨プランデータが計画修正ファイルとしての役割を果たし、旅行計画ファイルを記憶するサーバー１の記憶装置が計画修正ファイル記憶手段としての役割を果たし、森林浴等の修正情報をを検索するサーバー１が修正情報検索手段としての役割を果たし、情動テスト結果データを送信するサーバー１が修正提案手段としての役割を果たす。
【００２２】
更に、本発明を次のようにすれば効果的に観光地の広告をすることができる。例えば、上記実施例では、山田さんは目的地種別として「山」を入力しているが、これに希望観光地（例えば、八ヶ岳）などの項目を加える。そして、サーバー１の記憶装置には「八ヶ岳」−「スキーの図」のように観光地とその観光地にちなんだ図（テスト）を認知テストファイルとして記憶する。そして、スキーの図を認知テストに使用する。このようにすれば、その観光地の広告（八ヶ岳でスキーなどの広告）を効果的に行うことができるのである。なお、本実施例では、このように希望観光地によりテストの内容を調整するサーバー１が知的状態測定テスト調整手段としての役割を果たす。
【００２３】
上記実施例おいては特定のケースについて説明したが、本発明はこれら特定のケースに限るものではない。例えば、次のようなケースであっても構わない。
（１）上記実施例では、国内旅行や山でのハイキングを例に説明したが、本発明はこれに限るものではない。これらの他のあらゆる旅行等おいて利用できるものである。また、情動テストを旅行中に行っているが、これを旅行前に行ってもよい。なお、ここで認知テストとは一般的に情動テストに比べ長期間持続する知的状態を図るためのテストのことを言うが、これに限るものではなく、短期間しか持続しないものも含まれる場合もあるものとする。
（２）データの内容は実施例で説明したデータに限らない。即ち、同様の役割を果たすことができれば、他のどのようなデータであっても構わない。例えば、上記実施例では、記憶力や判断力だけを測定しているが、新奇性を好むか、快感を好むかなどの項目を測定してもよい。また、脳の機能回復をするにあたりどのような行動が効果的であるかは様々であり、ハイキングや乗馬等に限るものではない。
（３）ハードウェアも実施例で説明したものに限らない。即ち、同様の役割を果たすことができれば、他のどのようなハードウェアであっても構わない。たとえば、上記実施例においてＰＣ１とＰＣ２とは同じコンピュータであってもよく、ＰＣ１又はＰＣ２がサーバー１の役割を果たしてもよい。
（４）処理の内容や手順についても実施例で説明したものに限らない。即ち、同様の役割を果たすことができれば、他のどのような処理内容・処理手順であっても構わない。
（５）上記実施例に登場するデータ（データレコード、ファイル）のデータ（データ項目）は、原則として各々関連づけられて（対応づけられて）記憶装置に記憶されているものとする。図面に表されたものについても同様である。
【図面の簡単な説明】
【００２４】
【図１】本発明で利用するハードウェアの概略を示す図である。
【図２】認知テスト登録画面を表した図である。
【図３】登録データを表した図である。
【図４】顧客データを表した図である。
【図５】認知テストファイル及び画像ファイルを表した図である。
【図６】認知テスト画面を表した図である。
【図７】認知テスト回答データを表した図である。
【図８】回答分析データ及び脳年齢判定データを表した図である。
【図９】判断力分析データ及び記憶力分析データを表した図である。
【図１０】推奨プランデータを表した図である。
【図１１】目的地ファイルを表した図である。
【図１２】年齢別プランデータを表した図である。
【図１３】結果データを表した図である。
【図１４】情動テスト登録画面を表した図である。
【図１５】情動テストファイルを表した図である。
【図１６】イライラ度分析データ及び落ち込み度分析データを表した図である。
【図１７】情動テストによる推奨プランデータを表した図である。
【図１８】情動テスト結果データを表した図である。
【図１９】顧客データを表した図である。
【図１】
2007286933.tif 000003
【図２】
2007286933.tif 000004
【図３】
2007286933.tif 000005
【図４】
2007286933.tif 000006
【図５】
2007286933.tif 000007
【図６】
2007286933.tif 000008
【図７】
2007286933.tif 000009
【図８】
2007286933.tif 000010
【図９】
2007286933.tif 000011
【図１０】
2007286933.tif 000012
【図１１】
2007286933.tif 000013
【図１２】
2007286933.tif 000014
【図１３】
2007286933.tif 000015
【図１４】
2007286933.tif 000016
【図１５】
2007286933.tif 000017
【図１６】
2007286933.tif 000018
【図１７】
2007286933.tif 000019
【図１８】
2007286933.tif 000020
【図１９】
2007286933.tif 000021